(57)【要約】【課題】  非表示時の反射色の見え方が観察位置によって変化しにくく、デザイン性に優れた表示装置を提供する。【解決手段】  表示光を出射する表示モードと、表示光を出射しない非表示モードと、に切り替え可能な表示パネルと、λ／４位相差層と、円偏光反射層と、入射光を散乱させる光散乱モードと、入射光を透過させる光透過モードと、に切り替え可能な光散乱層と、を順に備える表示装置であり、好ましくは、上記円偏光反射層は、コレステリック液晶で構成されている表示装置。【選択図】  図１
2019095591.tif 000002
【特許請求の範囲】
【請求項１】
表示光を出射する表示モードと、表示光を出射しない非表示モードと、に切り替え可能な表示パネルと、
λ／４位相差層と、
円偏光反射層と、
入射光を散乱させる光散乱モードと、入射光を透過させる光透過モードと、に切り替え可能な光散乱層と、を順に備えることを特徴とする表示装置。
【請求項２】
前記光散乱層は、高分子分散型液晶を含有することを特徴とする請求項１に記載の表示装置。
【請求項３】
前記円偏光反射層は、コレステリック液晶で構成されていることを特徴とする請求項１又は２に記載の表示装置。
【請求項４】
前記円偏光反射層で反射される円偏光の波長は、可視光の波長領域の一部に属することを特徴とする請求項３に記載の表示装置。
【請求項５】
前記円偏光反射層は、反射される円偏光の波長が互いに異なる複数の領域で構成されていることを特徴とする請求項４に記載の表示装置。
【請求項６】
前記円偏光反射層は、光散乱反射特性を有することを特徴とする請求項１〜５のいずれかに記載の表示装置。
【請求項７】
前記表示パネルは、前記表示モードの表示領域と、前記非表示モードの非表示領域と、で構成される複数の領域に分割され、
前記光散乱層は、前記光散乱モードの光散乱領域と、前記光透過モードの光透過領域と、で構成される複数の領域に分割され、
前記表示領域及び前記光透過領域は互いに重畳し、かつ、前記非表示領域及び前記光散乱領域は互いに重畳することを特徴とする請求項１〜６のいずれかに記載の表示装置。
【請求項８】
前記表示パネルが前記非表示モードであるとき、前記光散乱層は、前記光散乱モードの光散乱領域と、前記光透過モードの光透過領域と、で構成される複数の領域に分割されていることを特徴とする請求項１〜６のいずれかに記載の表示装置。
【請求項９】
前記円偏光反射層は、前記光散乱領域と重畳する領域と、前記光透過領域と重畳する領域と、で互いに異なる波長の円偏光を反射することを特徴とする請求項８に記載の表示装置。
【請求項１０】
前記表示パネルが前記表示モードであるとき、前記光散乱層は前記光散乱モードであることを特徴とする請求項１〜６のいずれかに記載の表示装置。
【請求項１１】
前記表示パネルは、液晶表示パネルであることを特徴とする請求項１〜１０のいずれかに記載の表示装置。
【発明の詳細な説明】
【技術分野】
【０００１】
本発明は、表示装置に関する。より詳しくは、非表示時にも好ましく利用可能な表示装置に関するものである。
【背景技術】
【０００２】
液晶表示装置等の表示装置においては、非表示時に画面が黒色になるだけであるため、デザイン性の改善が望まれている。これに対して、表示装置の前面側にハーフミラー層を配置することで、表示装置にミラーとしての機能を付与するミラーディスプレイが提案されている（例えば、特許文献１参照）。
【先行技術文献】
【特許文献】
【０００３】
【特許文献１】国際公開第２０１５／１４１３５０号
【発明の概要】
【発明が解決しようとする課題】
【０００４】
上記特許文献１には、液晶表示装置と、ハーフミラー層としての反射型偏光板と、光拡散部材と、を順に有するミラーディスプレイが開示されている。このようなミラーディスプレイによれば、ミラーモード時に拡散反射面を有する周辺環境と調和可能である、と記載されている。しかしながら、本発明者が検討したところ、光拡散部材（例えば、高分子分散型液晶表示パネル）は入射光を前方散乱及び後方散乱させるため、反射率が不充分となり、反射率の高い（すなわち、充分に明るい）反射色表示が実現されにくいことが分かった。これに対して、上記ミラーディスプレイには反射型偏光板（多層型反射型偏光板、ワイヤーグリッド反射型偏光板等）が配置されていたが、このような反射型偏光板で反射される直線偏光は異方性が大きいため、反射色の見え方が観察位置によって変化しやすいことが分かった。
【０００５】
本発明は、上記現状に鑑みてなされたものであり、非表示時の反射色の見え方が観察位置によって変化しにくく、デザイン性に優れた表示装置を提供することを目的とするものである。
【課題を解決するための手段】
【０００６】
本発明者は、非表示時の反射色の見え方が観察位置によって変化しにくく、デザイン性に優れた表示装置について種々検討したところ、表示パネルと光散乱層との間に、λ／４位相差層及び円偏光反射層を配置すれば、非表示時の反射色の見え方が観察位置によって変化しにくくなることを見出した。これにより、上記課題をみごとに解決することができることに想到し、本発明に到達したものである。
【０００７】
すなわち、本発明の一態様は、表示光を出射する表示モードと、表示光を出射しない非表示モードと、に切り替え可能な表示パネルと、λ／４位相差層と、円偏光反射層と、入射光を散乱させる光散乱モードと、入射光を透過させる光透過モードと、に切り替え可能な光散乱層と、を順に備える表示装置であってもよい。
【発明の効果】
【０００８】
本発明によれば、非表示時の反射色の見え方が観察位置によって変化しにくく、デザイン性に優れた表示装置を提供することができる。
【図面の簡単な説明】
【０００９】
【図１】実施形態１の表示装置を示す断面模式図である。
【図２】実施形態１の表示装置の表示時の動作原理を説明するための断面模式図である。
【図３】実施形態１の表示装置の非表示時の動作原理を説明するための断面模式図である。
【図４】実施形態２の表示装置を示す平面模式図である。
【図５】実施形態３の表示装置を示す平面模式図である。
【図６】実施形態３の変形例の表示装置を示す平面模式図である。
【図７】実施形態４の表示装置を示す平面模式図である。
【発明を実施するための形態】
【００１０】
以下に実施形態を掲げ、本発明について図面を参照して更に詳細に説明するが、本発明はこれらの実施形態のみに限定されるものではない。また、各実施形態の構成は、本発明の要旨を逸脱しない範囲において適宜組み合わされてもよいし、変更されてもよい。
【００１１】
以下の実施形態では、表示パネルが液晶表示パネルである場合を例示するが、表示パネルの種類は特に限定されない。
【００１２】
本明細書中、「Ｘ〜Ｙ」は、「Ｘ以上、Ｙ以下」を意味する。
【００１３】
［実施形態１］
実施形態１の表示装置について、図１を参照して以下に説明する。図１は、実施形態１の表示装置を示す断面模式図である。
【００１４】
表示装置１は、バックライト２と、液晶表示パネル３と、λ／４位相差層４と、円偏光反射層５と、光散乱層６と、を順に有している。
【００１５】
＜バックライト＞
バックライト２としては、従来公知のものが使用可能である。バックライト２の方式としては、特に限定されず、例えば、エッジライト方式、直下型方式等が挙げられる。バックライト２の光源としては、特に限定されず、例えば、発光ダイオード（ＬＥＤ）、冷陰極管（ＣＣＦＬ）等が挙げられる。
【００１６】
＜液晶表示パネル＞
液晶表示パネル３は、表示光を出射する表示モードと、表示光を出射しない非表示モードと、に切り替え可能である。表示光としては、直線偏光、円偏光、楕円偏光等が挙げられる。表示光は、このような偏光状態であってもよく、様々な偏光状態がランダムに含まれる状態、いわゆる無偏光状態であってもよい。以下では、液晶表示パネル３として、図１に示すような、吸収型偏光板７ａ、液晶セル８、及び、吸収型偏光板７ｂが順に配置される構成を例示する。
【００１７】
吸収型偏光板７ａ、７ｂとしては、例えば、ポリビニルアルコール（ＰＶＡ）フィルムにヨウ素錯体（又は染料）等の異方性材料を、染色及び吸着させてから延伸配向させたもの等が挙げられる。
【００１８】
液晶セル８としては、例えば、一対の基板間に液晶層が挟持される構成が挙げられる。一対の基板の組み合わせとしては、例えば、従来公知の薄膜トランジスタアレイ基板及びカラーフィルタ基板の組み合わせ等が挙げられる。
【００１９】
液晶表示パネル３においては、例えば、吸収型偏光板７ａ、７ｂの透過軸（吸収軸）の配置関係と、液晶セル８中の液晶分子の配向状態とを組み合わせて調整することによって、バックライト２から出射された光を、液晶表示パネル３（吸収型偏光板７ｂ）のλ／４位相差層４側に直線偏光（表示光）として出射する表示モードと、液晶表示パネル３（吸収型偏光板７ｂ）のλ／４位相差層４側に直線偏光（表示光）として出射しない非表示モードと、に切り替え可能である。例えば、液晶表示パネル３がノーマリーブラック方式の液晶表示パネルである場合、液晶セル８（液晶層）への電圧印加状態では、液晶表示パネル３（吸収型偏光板７ｂ）のλ／４位相差層４側に直線偏光（表示光）が出射されるが（表示モード）、液晶セル８（液晶層）への電圧無印加状態では、液晶表示パネル３（吸収型偏光板７ｂ）のλ／４位相差層４側に直線偏光（表示光）が出射されない（非表示モード）。また、例えば、液晶表示パネル３がノーマリーホワイト方式の液晶表示パネルである場合、液晶セル８（液晶層）への電圧印加状態では、液晶表示パネル３（吸収型偏光板７ｂ）のλ／４位相差層４側に直線偏光（表示光）が出射されないが（非表示モード）、液晶セル８（液晶層）への電圧無印加状態では、液晶表示パネル３（吸収型偏光板７ｂ）のλ／４位相差層４側に直線偏光（表示光）が出射される（表示モード）。なお、液晶表示パネル３の非表示モードにおいて、バックライト２は、点灯状態であってもよく、消灯状態であってもよい。
【００２０】
＜λ／４位相差層＞
λ／４位相差層４は、波長λの入射光に対して１／４波長（λ／４）の面内位相差を付与する位相差層である。
【００２１】
λ／４位相差層４の材料としては、例えば、光重合性液晶材料等が挙げられる。光重合性液晶材料の構造としては、例えば、液晶分子の骨格の末端に、アクリレート基、メタクリレート基等の光重合性基を有する構造が挙げられる。
【００２２】
λ／４位相差層４は、例えば、下記の方法によって形成可能である。まず、光重合性液晶材料を、プロピレングリコールモノメチルエーテルアセテート（ＰＧＭＥＡ）等の有機溶媒に溶かす。次に、得られた溶液を、基材（例えば、ポリエチレンテレフタレート（ＰＥＴ）フィルム）の表面上に塗布し、溶液の塗膜を形成する。その後、この溶液の塗膜に対して、仮焼成、光照射（例えば、紫外線照射）、及び、本焼成を順に行うことによって、λ／４位相差層４が形成される。
【００２３】
λ／４位相差層４としては、上述したものの他に、延伸処理された高分子フィルムも使用可能である。高分子フィルムの材料としては、例えば、シクロオレフィンポリマー、ポリカーボネート、ポリサルフォン、ポリエーテルサルフォン、ポリエチレンテレフタレート、ポリエチレン、ポリビニルアルコール、ノルボルネン、トリアセチルセルロース、ジアチルセルロース等が挙げられる。
【００２４】
＜円偏光反射層＞
円偏光反射層５は、入射光のうち、右円偏光成分及び左円偏光成分のうちの一方を反射し、右円偏光成分及び左円偏光成分のうちの他方を透過させる機能を有している。円偏光反射層５で反射される円偏光は異方性が小さいため、反射色の見え方が観察位置によって変化しにくい。
【００２５】
円偏光反射層５は、コレステリック液晶で構成されていることが好ましい。コレステリック液晶は、螺旋構造を有しており、ネマティック液晶にカイラル剤を添加することによって形成可能である。ここで、カイラル剤として光反応性のものを用いて、光重合開始剤とともに光反応させれば、任意の螺旋ピッチ（螺旋周期）を有するコレステリック液晶を形成することができる。
【００２６】
コレステリック液晶によれば、波長が螺旋ピッチと同じで、回転方向が螺旋のねじれ方向と同じである円偏光が選択的に反射される。つまり、コレステリック液晶の螺旋ピッチによって反射光の波長が変化するため、反射色を自由に調整することができる。
【００２７】
＜光散乱層＞
光散乱層６は、入射光を散乱させる光散乱モードと、入射光を透過させる光透過モードと、に切り替え可能である。このような光散乱層６としては、例えば、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）が、一対の電極で円偏光反射層５側及び円偏光反射層５とは反対側から挟持される構成が挙げられる。
【００２８】
高分子分散型液晶は、液晶が微小粒滴として高分子マトリクス中に分散しているものである。高分子分散型液晶は、例えば、ネマティック液晶及び光硬化性樹脂の混合物に対して光照射を行い、光硬化性樹脂を重合させることによって形成可能である。
【００２９】
高分子分散型液晶は、電圧無印加状態（一対の電極間に電圧を印加しない状態）では、分散した液晶（微小粒滴）の配向ベクトルが互いに異なる方向を向くため、それらの界面で入射光を散乱させる光散乱モード（不透明状態）として機能する。一方、高分子分散型液晶は、電圧印加状態（一対の電極間に電圧を印加した状態）では、液晶及び高分子の屈折率がほぼ等しくなるため、入射光を透過させる光透過モード（透明状態）として機能する。
【００３０】
次に、表示装置１の表示時及び非表示時の動作原理について、以下に説明する。なお、以下では、円偏光反射層５がコレステリック液晶で構成され、光散乱層６が高分子分散型液晶を含有する場合を例示する。
【００３１】
＜表示時＞
図２は、実施形態１の表示装置の表示時の動作原理を説明するための断面模式図である。図２では、便宜上、液晶表示パネル３と、λ／４位相差層４と、円偏光反射層５と、光散乱層６と、を離間して図示している。
【００３２】
表示装置１の表示時には、液晶表示パネル３が表示モードに設定されており、図２に示すように、バックライト２から出射された光が、液晶表示パネル３（吸収型偏光板７ｂ）のλ／４位相差層４側に直線偏光１０（表示光：液晶表示パネル３による画像）として出射される。直線偏光１０は、吸収型偏光板７ｂの透過軸と平行な方位に振動する直線偏光である。
【００３３】
そして、液晶表示パネル３から出射された直線偏光１０は、λ／４位相差層４を透過することによって円偏光１１ａに変換される。円偏光１１ａは右円偏光及び左円偏光のうちのいずれであってもよく、吸収型偏光板７ｂの透過軸とλ／４位相差層４の面内遅相軸との配置関係（両者のなす角度：略４５°）によって適宜設定される。
【００３４】
ここで、円偏光反射層５においては、コレステリック液晶の螺旋のねじれ方向が円偏光１１ａの回転方向と異なるように設定されている。そのため、円偏光反射層５に入射する円偏光１１ａは、円偏光反射層５を透過することができる。
【００３５】
その後、円偏光反射層５を透過した円偏光１１ａは、光透過モード（電圧印加状態）に設定された光散乱層６を透過し、結果的に、表示装置１から出射される。
【００３６】
以上より、表示装置１の表示時には、表示装置１の出射光を観察することになり、液晶表示パネル３による画像が観察可能となる。
【００３７】
＜非表示時＞
図３は、実施形態１の表示装置の非表示時の動作原理を説明するための断面模式図である。図３では、便宜上、液晶表示パネル３と、λ／４位相差層４と、円偏光反射層５と、光散乱層６と、を離間して図示している。
【００３８】
表示装置１の非表示時には、液晶表示パネル３が非表示モードに設定されており、図３に示すように、表示装置１の光散乱層６側に入射する外光１２（無偏光）は、光散乱モード（電圧無印加状態）に設定された光散乱層６で、円偏光反射層５側及び円偏光反射層５とは反対側に散乱する。
【００３９】
ここで、円偏光反射層５においては、コレステリック液晶の螺旋のねじれ方向が、上述したように円偏光１１ａ（右円偏光及び左円偏光のうちの一方）の回転方向と異なるように設定されている一方で、円偏光１１ｂ（右円偏光及び左円偏光のうちの他方）の回転方向と同じになるように設定されている。そのため、光散乱層６で円偏光反射層５側に散乱した外光１２のうち、円偏光１１ａは円偏光反射層５を透過し、円偏光１１ｂは円偏光反射層５で光散乱層６側に反射する。
【００４０】
そして、円偏光反射層５を透過した円偏光１１ａは、λ／４位相差層４を透過することによって直線偏光１０に変換された後、液晶表示パネル３及びバックライト２で適宜吸収される。一方、円偏光反射層５で光散乱層６側に反射された円偏光１１ｂは、光散乱モード（電圧無印加状態）に設定された光散乱層６で散乱する。
【００４１】
以上より、表示装置１の非表示時には、表示装置１の反射光（散乱光）を観察することになり、表示装置１が反射色に応じて色付いて見える。また、表示装置１においては、円偏光反射層５の作用効果によって、反射率の高い（すなわち、充分に明るい）反射色表示が実現され、非表示時の反射色の見え方が観察位置によって変化しにくくなる。更に、表示装置１は、光散乱層６の作用効果によって、非表示時に、拡散反射面を有する周辺環境と調和可能となるため、優れたデザイン性が実現可能となる。
【００４２】
表示装置１は、上述したように、非表示時に反射色に応じて色付いて見えるが、この反射色は、例えば、以下のように自由に調整可能である。
【００４３】
（調整例１）
円偏光反射層５で反射される円偏光１１ｂの波長は、可視光の波長領域（一般的に、３８０〜７８０ｎｍ）の全域に対応していてもよい。これにより、表示装置１は、非表示時に白色に色付いて見えることになる。このような状態を実現するためには、円偏光反射層５において、コレステリック液晶の螺旋ピッチを可視光の波長領域の全域に対応するように連続的に変化させればよい。
【００４４】
（調整例２）
円偏光反射層５で反射される円偏光１１ｂの波長は、可視光の波長領域の一部に属していてもよい。これにより、表示装置１は、非表示時に白色以外の特定の色に見えることになる。例えば、円偏光反射層５において、コレステリック液晶の螺旋ピッチを５００〜６００ｎｍとなるように調整すれば、表示装置１は、非表示時に緑色に色付いて見えることになる。
【００４５】
（調整例３）
円偏光反射層５は、反射される円偏光１１ｂの波長が互いに異なる複数の領域で構成されていてもよい。これにより、円偏光反射層５による反射色が複数色にパターニングされるため、表示装置１は、非表示時に固定の文字、画像等を表示することができる。このような状態を実現するためには、円偏光反射層５において、コレステリック液晶の螺旋ピッチを複数の領域で互いに異なるように調整すればよい。
【００４６】
一方、本実施形態とは異なり、円偏光反射層５の代わりに、多層型反射型偏光板、ワイヤーグリッド反射型偏光板等の反射型偏光板を用いる場合は、反射される直線偏光の波長を制御しにくいため、反射色を自由に調整することが困難である。
【００４７】
表示装置１の非表示時には、上述したように、円偏光反射層５による反射光（円偏光１１ｂ）を観察することになるが、観察者の顔、周辺環境（例えば、照明）等の映り込みを抑制する観点から、円偏光反射層５は、光散乱反射特性を有することが好ましい。これにより、表示装置１の非表示時に、円偏光１１ｂが円偏光反射層５で反射するとともに散乱することになるため、単に正反射する場合と比較して、観察者の顔、周辺環境（例えば、照明）等の映り込みが抑制される。
【００４８】
円偏光反射層５に光散乱反射特性を付与する方法としては、例えば、光配向処理によってコレステリック液晶のプレチルト角を複数の領域で変化させる方法が挙げられる。具体的には、まず、λ／４位相差層４及び光散乱層６の対向する表面のうちの少なくとも一方上に配向膜（ポリイミド膜）を形成する。そして、配向膜を遮光マスクで部分的に遮光した状態で直線偏光紫外線を斜め方向から照射する光配向処理を、配向膜の遮光領域を変えながら複数回繰り返す。その後、λ／４位相差層４と光散乱層６との間に、円偏光反射層５としてコレステリック液晶で構成される層を配置すれば、コレステリック液晶のプレチルト角（例えば、−１０°、０°、１０°）を複数の領域（例えば、数μｍ以下のオーダー）で変化させることができる。
【００４９】
［実施形態２］
実施形態２の表示装置について、図４を参照して以下に説明する。図４は、実施形態２の表示装置を示す平面模式図である。実施形態２の表示装置は、液晶表示パネルが複数の領域に分割され、かつ、光散乱層が複数の領域に分割されていること以外、実施形態１の表示装置と同様であるため、重複する点については説明を省略する。なお、図４では、便宜上、表示装置１において、液晶表示パネル３及び光散乱層６を特化して図示している。また、図４では、液晶表示パネル３及び光散乱層６の位置関係を分かりやすくするため、両者の外縁をずらして図示しているが、両者の外縁は一致していてもよい。これらは、後述する図５〜７においても同様である。
【００５０】
液晶表示パネル３は、表示モードの表示領域ＤＲ１と、非表示モードの非表示領域ＤＲ２と、で構成される複数の領域に分割されている。このような状態を実現する方法としては、例えば、バックライト２としてローカルディミングバックライトを用いる方法が挙げられる。ローカルディミングバックライトは、光源（発光領域）が複数の領域に分割して配置され、光源の点灯状態（任意の輝度で点灯可能）及び消灯状態を複数の領域毎に設定可能な機能を有している。ローカルディミングバックライトによれば、液晶表示パネル３に、同一時刻、同一面内で、ある領域を表示モード、その他の領域を非表示モードとして動作させる機能を提供することができる。
【００５１】
光散乱層６は、光散乱モードの光散乱領域ＬＲ１と、光透過モードの光透過領域ＬＲ２と、で構成される複数の領域に分割されている。このような状態を実現する方法としては、例えば、高分子分散型液晶に電圧を印加する一対の電極を、高分子分散型液晶とともに複数の領域に分割して配置する方法が挙げられる。そして、電極への電圧無印加状態及び電圧印加状態を複数の領域毎に設定することで、光散乱層６に、同一時刻、同一面内で、ある領域を光散乱モード、その他の領域を光透過モードとして動作させる機能を提供することができる。
【００５２】
表示装置１において、表示領域ＤＲ１及び光透過領域ＬＲ２は互いに重畳し、かつ、非表示領域ＤＲ２及び光散乱領域ＬＲ１は互いに重畳している。これにより、表示装置１は、表示領域ＤＲ１及び光透過領域ＬＲ２が重畳する領域において、液晶表示パネル３による画像を表示することができる（表示状態）。また、表示装置１は、非表示領域ＤＲ２及び光散乱領域ＬＲ１が重畳する領域において、反射色に応じて色付いて見え、周辺環境（例えば、表示装置１の筐体）と調和した印象を与えることもできる（非表示状態）。
【００５３】
液晶表示パネル３及び光散乱層６の分割領域について、図４では、四角形状（略正方形状）の６つの領域が２行３列のマトリクス状に配置されているが、分割領域の数、形状、配置等は特に限定されない。例えば、分割領域の数は６つよりも多くてもよく、分割領域の形状は四角形以外の異形状であってもよく、分割領域の配置は２行３列以外のマトリクス状であってもよい。
【００５４】
［実施形態３］
実施形態３の表示装置について、図５を参照して以下に説明する。図５は、実施形態３の表示装置を示す平面模式図である。実施形態３の表示装置は、液晶表示パネルが非表示モードであるとき、光散乱層が複数の領域に分割されていること以外、実施形態１の表示装置と同様であるため、重複する点については説明を省略する。
【００５５】
液晶表示パネル３が非表示モードであるとき、光散乱層６は、光散乱モードの光散乱領域ＬＲ１と、光透過モードの光透過領域ＬＲ２と、で構成される複数の領域に分割されている。これにより、表示装置１の非表示時に、光散乱層６の光散乱領域ＬＲ１又は光透過領域ＬＲ２（図５では、光透過領域ＬＲ２）で、文字等が浮かび上がるように見える。
【００５６】
本実施形態において、円偏光反射層５は、光散乱領域ＬＲ１と重畳する領域と、光透過領域ＬＲ２と重畳する領域と、で互いに異なる波長の円偏光を反射することが好ましい。これにより、円偏光反射層５による反射色が、光散乱領域ＬＲ１と重畳する領域と、光透過領域ＬＲ２と重畳する領域と、で互いに異なるため、表示装置１の非表示時に、文字等がより明瞭に浮かび上がるように見える。
【００５７】
光散乱層６を複数の領域に分割する際、例えば、実施形態２と同様な方法を用いてもよいが、変形例として、図６に示すように、高分子分散型液晶を配置する領域を光散乱領域ＬＲ１とし、配置しない領域を光透過領域ＬＲ２としてもよい。図６は、実施形態３の変形例の表示装置を示す平面模式図である。本変形例においても、表示装置１の非表示時に、光散乱層６の光散乱領域ＬＲ１又は光透過領域ＬＲ２（図６では、光透過領域ＬＲ２）で、文字等が浮かび上がるように見える。
【００５８】
［実施形態４］
実施形態４の表示装置について、図７を参照して以下に説明する。図７は、実施形態４の表示装置を示す平面模式図である。実施形態４の表示装置は、液晶表示パネルが表示モードであるとき、光散乱層が光散乱モードであること以外、実施形態１の表示装置と同様であるため、重複する点については説明を省略する。
【００５９】
液晶表示パネル３が表示モードであるとき、光散乱層６は光散乱モードである。これにより、表示装置１の表示時に、液晶表示パネル３による画像が、光散乱層６の作用（散乱）によって若干ぼけるものの観察可能となる。また、本実施形態によれば、表示装置１の表示時にも、非表示時と同様に光散乱層６が光散乱モード（電圧無印加状態）に設定されるため、実施形態１よりも省電力化を図ることができる。なお、本実施形態においても、実施形態２と同様に、光散乱層６が複数の領域に分割されていてもよい。
【００６０】
実施形態１〜４では、光散乱層６が高分子分散型液晶を含有する場合を例示したが、光散乱層６は、例えば、高分子分散型液晶と光拡散板（例えば、ビーズが基材に練り込まれた従来公知のもの）とを組み合わせた構成であってもよい。
【００６１】
［付記］
本発明の一態様は、表示光を出射する表示モードと、表示光を出射しない非表示モードと、に切り替え可能な表示パネルと、λ／４位相差層と、円偏光反射層と、入射光を散乱させる光散乱モードと、入射光を透過させる光透過モードと、に切り替え可能な光散乱層と、を順に備える表示装置であってもよい。本態様によれば、非表示時の反射色の見え方が観察位置によって変化しにくく、デザイン性に優れた表示装置が実現される。
【００６２】
上記光散乱層は、高分子分散型液晶を含有していてもよい。これにより、上記光散乱層を効果的に利用することができる。
【００６３】
上記円偏光反射層は、コレステリック液晶で構成されていてもよい。これにより、上記円偏光反射層を効果的に利用することができる。この場合、上記円偏光反射層で反射される円偏光の波長は、可視光の波長領域の一部に属していてもよい。これにより、上記表示装置は、非表示時に白色以外の特定の色に見えることになる。また、上記円偏光反射層は、反射される円偏光の波長が互いに異なる複数の領域で構成されていてもよい。これにより、上記表示装置は、非表示時に固定の文字、画像等を表示することができる。
【００６４】
上記円偏光反射層は、光散乱反射特性を有していてもよい。これにより、上記表示装置の非表示時に、観察者の顔、周辺環境（例えば、照明）等の映り込みが抑制される。
【００６５】
上記表示パネルは、上記表示モードの表示領域と、上記非表示モードの非表示領域と、で構成される複数の領域に分割され、上記光散乱層は、上記光散乱モードの光散乱領域と、上記光透過モードの光透過領域と、で構成される複数の領域に分割され、上記表示領域及び上記光透過領域は互いに重畳し、かつ、上記非表示領域及び上記光散乱領域は互いに重畳していてもよい。これにより、上記表示装置は、上記表示領域及び上記光透過領域が重畳する領域において、上記表示パネルによる画像を表示することができる（表示状態）。また、上記表示装置は、上記非表示領域及び上記光散乱領域が重畳する領域において、反射色に応じて色付いて見え、周辺環境（例えば、上記表示装置の筐体）と調和した印象を与えることもできる（非表示状態）。
【００６６】
上記表示パネルが上記非表示モードであるとき、上記光散乱層は、上記光散乱モードの光散乱領域と、上記光透過モードの光透過領域と、で構成される複数の領域に分割されていてもよい。これにより、上記表示装置の非表示時に、上記光散乱層の上記光散乱領域又は上記光透過領域で、文字等が浮かび上がるように見える。この場合、上記円偏光反射層は、上記光散乱領域と重畳する領域と、上記光透過領域と重畳する領域と、で互いに異なる波長の円偏光を反射していてもよい。これにより、上記表示装置の非表示時に、文字等がより明瞭に浮かび上がるように見える。
【００６７】
上記表示パネルが上記表示モードであるとき、上記光散乱層は上記光散乱モードであってもよい。これにより、上記表示装置の表示時に、上記表示パネルによる画像が、上記光散乱層の作用（散乱）によって若干ぼけるものの観察可能となる。
【００６８】
上記表示パネルは、液晶表示パネルであってもよい。これにより、上記表示パネルとして液晶表示パネルを用いる場合においても、本発明を適用することができる。上記表示パネルの種類は特に限定されず、液晶表示パネルの他に、例えば、有機エレクトロルミネッセンス表示パネル、プラズマ表示パネル等であってもよい。このような表示パネルにおいても、表示光（通常、無偏光）を出射する表示モードと、表示光を出射しない非表示モードと、に切り替え可能である。
【符号の説明】
【００６９】
１：表示装置
２：バックライト
３：液晶表示パネル
４：λ／４位相差層
５：円偏光反射層
６：光散乱層
７ａ、７ｂ：吸収型偏光板
８：液晶セル
１０：直線偏光
１１ａ、１１ｂ：円偏光
１２：外光
ＤＲ１：表示領域
ＤＲ２：非表示領域
ＬＲ１：光散乱領域
ＬＲ２：光透過領域
【図１】
2019095591.tif 000003
【図２】
2019095591.tif 000004
【図３】
2019095591.tif 000005
【図４】
2019095591.tif 000006
【図５】
2019095591.tif 000007
【図６】
2019095591.tif 000008
【図７】
2019095591.tif 000009